(57)【要約】【課題】スイッチの誤操作を抑制する。【解決手段】器体Ａが床に置かれている場合、器体Ａの上に足(靴)が載せられたとしても、カバー２の天板20にガードされて足裏(靴底)から操作部60に押圧力が加わることが防止される。すなわち、本実施形態におけるスイッチ６の操作部60は、凹部27の底面から器体Ａの外に露出しているので、従来例のようにカバー２の天板20の表面から露出している場合と比較して、不用意に操作される可能性が大幅に低下する。【選択図】        図１
2015005367.tif 000002
【特許請求の範囲】
【請求項１】
複数の差込口が設けられた器体と、前記器体内に収納されて前記差込口に差し込まれる差込プラグの刃を受ける複数の刃受と、前記器体から導出されて外部の電源に接続される電源コードと、前記器体内において前記電源コードと前記刃受とを電気的に接続する導電体と、前記電源コードと前記刃受との電気的な接続を入切する１乃至複数のスイッチとを備え、
前記スイッチは、操作部を前記器体の外に露出した状態で前記器体内に収納され、
前記器体は、それぞれに前記差込口が設けられた２つの斜面を有する山形に形成され、且つ前記２つの斜面に対して内側に凹んだ凹所を有し、前記凹所の底面に前記操作部が露出するように構成されることを特徴とするテーブルタップ。
【発明の詳細な説明】
【技術分野】
【０００１】
本発明は、テーブルタップに関する。
【背景技術】
【０００２】
従来のテーブルタップとして特許文献１記載のものを例示する。特許文献１記載の従来例は、箱形の器体を有し、器体の上面および上面に連なる傾斜面にそれぞれ一対の刃挿入孔からなる差込口が３個ずつ設けられている。差込口の各刃挿入孔には、差込プラグの一対の刃(平刃)が各別に差し込まれる。器体の内部には、各差込口(刃挿入孔)に差し込まれた刃を受ける刃受が収納されている。また、器体からは電源コードが引き出されている。この電源コードは、器体の内部で各刃受に接続されている。
【０００３】
また、器体内には合計４個のスイッチ(タンブラスイッチ)が収納され、このうちの３個のスイッチの操作部が器体の上面に露出し、残り１個のスイッチの操作部が器体の傾斜面に露出している。
【０００４】
器体の上面に操作部が露出する３個のスイッチは、同じく器体の上面に配設されている３個の差込口に対応した刃受と、電源コードとの電気的な接続を個別に入切する。また、器体の傾斜面に操作部が露出する１個のスイッチは、同じく器体の傾斜面に配設されている３個の差込口に対応した刃受と、電源コードとの電気的な接続を一括して入切する。
【０００５】
すなわち、特許文献１記載の従来例では、傾斜面の差込口に差込プラグが差込接続された複数(最大で３台)の機器の電源を１個のスイッチで一括して入切できる。また、上面の差込口に差込プラグが差込接続された複数(最大で３台)の機器の電源を３個のスイッチで個別に入切することができる。例えば、パーソナルコンピュータの電源プラグ(差込プラグ)と、プリンターなどの周辺機器の電源プラグ(差込プラグ)とを傾斜面の差込口に差込接続すれば、１個のスイッチを操作してパーソナルコンピュータと周辺機器の電源を一括して入切できる。
【先行技術文献】
【特許文献】
【０００６】
【特許文献１】特開２００７−１０３２５６号公報
【発明の概要】
【発明が解決しようとする課題】
【０００７】
ところで、特許文献１記載の従来例では、スイッチの操作部が器体の表面(上面及び傾斜面)から突出しているため、例えば、床に置かれていた場合に操作部を足で踏んでしまい、誤ってスイッチがオフしてしまう虞があった。
【０００８】
本発明は、上記課題に鑑みて為されたものであり、スイッチの誤操作を抑制することをを目的とする。
【課題を解決するための手段】
【０００９】
本発明のテーブルタップは、複数の差込口が設けられた器体と、前記器体内に収納されて前記差込口に差し込まれる差込プラグの刃を受ける複数の刃受と、前記器体から導出されて外部の電源に接続される電源コードと、前記器体内において前記電源コードと前記刃受とを電気的に接続する導電体と、前記電源コードと前記刃受との電気的な接続を入切する１乃至複数のスイッチとを備え、前記スイッチは、操作部を前記器体の外に露出した状態で前記器体内に収納され、前記器体は、それぞれに前記差込口が設けられた２つの斜面を有する山形に形成され、且つ前記２つの斜面に対して内側に凹んだ凹所を有し、前記凹所の底面に前記操作部が露出するように構成されることを特徴とする。
【発明の効果】
【００１０】
本発明のテーブルタップは、スイッチの操作部が器体の表面から突出している従来例と比べて、例えば、床に置かれていた場合に操作部を足で踏んでしまう可能性が殆ど無く、その結果、スイッチの誤操作を抑制することができるという効果がある。
【図面の簡単な説明】
【００１１】
【図１】本発明に係るテーブルタップの実施形態を示し、(ａ)は正面図、(ｂ)は下面図、(ｃ)は断面図である。
【図２】同上の分解斜視図である。
【図３】同上の斜視図である。
【図４】同上の回路構成図である。
【発明を実施するための形態】
【００１２】
以下、本発明に係るテーブルタップの実施形態について、図面を参照して詳細に説明する。
【００１３】
本実施形態のテーブルタップは、図２に示すように器体Ａ、内ボディ３、内カバー４、刃受ブロック５、スイッチ６、コードブッシュ７などを備える。なお、以下の説明では、特に断りの無い限り、図２において上下、左右、前後の各方向を規定する。
【００１４】
器体Ａは、上面が開口した箱状の合成樹脂成形体からなるボディ１と、下面が開口した箱状の合成樹脂成形体からなるカバー２とを、互いの開口同士を突き合わせるように結合して、左右方向に長細い箱形に構成される(図１参照)。
【００１５】
ボディ１は、左右方向を長手方向とする平坦な底板10と、底板10の前端及び後端からそれぞれ起立する長方形状の前側壁11並びに後側壁12と、底板10の左端及び右端からそれぞれ起立して前側壁11及び後側壁12と繋がった左側壁13並びに右側壁14とを有する。
【００１６】
左側壁13並びに右側壁14は、上向きに尖った五角形状に形成されている。また、左側壁13には、半円形の凹所130が設けられている。この凹所130には、電源コード(図示せず)に外挿されるコードブッシュ７の下側部分が嵌合する(図１参照)。
【００１７】
底板10の内面(上面)には、複数(図示例では５つ)のボス100が間隔を空けて立設されている。これらのボス100は、円筒形のねじ挿通孔100Aが上下方向に貫通している。つまり、底板10の外面(下面)側からねじ挿通孔100Aに挿通される組立ねじ(図示せず)が、カバー２に設けられたねじ孔(図示せず)にねじ込まれることにより、ボディ１とカバー２が強固に固定(ねじ止め)される。
【００１８】
カバー２は、左右方向を長手方向とする天板20と、天板20の前端及び後端からそれぞれ起立する長方形状の前側壁21並びに後側壁22と、天板20の左端及び右端からそれぞれ起立して前側壁21及び後側壁22と繋がった左側壁23並びに右側壁24とを有する。
【００１９】
天板20は、左右方向から見て山形に形成されており、前側の斜面(第１斜面200)と後側の斜面(第２斜面201)にそれぞれ複数(図示例では３つ)の差込口25，26が設けられている。
【００２０】
第１斜面200に設けられている差込口(第１の差込口)25は、一対の刃挿通孔250で構成されている。この刃挿通孔250は、図１(ａ)に示すように矩形の孔と、半長円形の孔とが繋がった形状に形成されている。矩形の孔には平刃が挿通され、半長円形の孔には円柱形状の刃(丸ピン)が挿通される。すなわち、第１の差込口25は、一対の平刃を有する接地極無しの２極形の差込プラグと、一対の丸ピンを有する接地極無しの２極形の差込プラグとが択一的に差込接続される。
【００２１】
第２斜面201に設けられている差込口(第２の差込口)26は、一対の電圧極用の刃挿入孔260と接地極用の刃挿入孔261とを併せた３つの刃挿入孔260，261で構成されている。これら３つの刃挿入孔260，261は何れも矩形に形成されており、接地極用の刃挿入孔261の左右両側に電圧極用の刃挿入孔260が配置されている。なお、電圧極用の刃挿入孔260は、長手方向に沿った中心軸が後方で交差するように傾けて設けられている。また、接地極用の刃挿入孔261は、長手方向に沿った中心軸が、電圧極用の刃挿入孔260の中心軸が交差する点を通るように設けられている(図１(ａ)参照)。ただし、第１の差込口25と第２の差込口26は、前後方向に沿って隣り合うように配設されている。
【００２２】
また、カバー２の天板20には、３つの凹部27が長手方向(左右方向)に沿って一定の間隔で設けられている。さらに、凹部27の底面(下面)に矩形の窓孔28が開口している。スイッチ６の操作部60は、この窓孔28を通して器体Ａの外(外部)に露出する(図１及び図３参照)。
【００２３】
左側壁23並びに右側壁24は、上縁及び下縁が何れも上向きに尖った形状に形成されている。また、左側壁23には、半円形の凹所230が設けられている。この凹所230には、コードブッシュ７の上側部分が嵌合する(図１参照)。
【００２４】
刃受ブロック５は、第１の差込口25に対応した一対の刃受(第１刃受50A，50B)と、第２の差込口26に対応した一対の電圧極用の刃受(第２刃受51A，51B)及び接地極用の刃受(第３刃受52)と、各刃受50，51，52を電気的に接続する複数の導電体53，54，55，56とで構成される。
【００２５】
第１刃受50A，50Bは、互いに前後方向に対向する一対の刃受ばね500と、これら一対の刃受ばね500の左右方向における側端と対向する刃受ばね501とが弾性を有する金属板を加工することで一体に形成されてなる。一対の刃受ばね500は、刃受挿通孔250の半長円形の孔に挿通される丸ピンを前後方向から挟持する。また、刃受ばね501は、刃受挿通孔250の矩形の孔に挿通される平刃を、一対の刃受ばね500の左右方向の側端との間で挟持する。なお、２つの第１刃受50A，50Bは、互いに鏡像の関係となるように形成されている。
【００２６】
第２刃受51A，51Bは、互いに左右方向に対向する一対の刃受ばね510が弾性を有する金属板を加工することで一体に形成されてなる。一方の第２刃受51Aは、第１導電体53を構成する連結板531によって、片方の第１刃受50Aと連結されている。また、他方の第２刃受51Bは、第３導電体55によって、もう片方の第１刃受50Bと連結されている。
【００２７】
第３刃受52は、互いに左右方向に対向する一対の刃受ばね520が弾性を有する金属板を加工することで一体に形成されてなる。なお、合計３つの第３刃受52が第４導電体56によって連結されている。
【００２８】
第１導電体53は、長尺の導電板530と、導電板530の長手方向の両端及び中央にそれぞれかしめ固定された３枚の連結板531とで構成される。なお、連結板531には、後述するスイッチ６の端子62Cが嵌合する嵌合孔532が貫通している。
【００２９】
第２導電体54は、導電性を有する長尺の板材からなり、長手方向の両端と中央にそれぞれ嵌合孔540が貫通している。なお、これら３つの嵌合孔540にも、後述するスイッチ６の端子62Aが嵌合する。
【００３０】
第３導電体55は、導電性を有する長尺の板材からなり、長手方向の一端側(左側)に嵌合孔550が貫通し、長手方向の他端側(右側)に第１刃受50Bと第２刃受51Bが連結されている。なお、これら３つの第３導電体55の嵌合孔540にも、後述するスイッチ６の端子62Bがそれぞれ嵌合する。
【００３１】
第４導電体56は、導電性を有する長尺の板材からなり、３つの第３刃受52が等しい距離をおいてそれぞれ連結されている。
【００３２】
内ボディ３並びに内カバー４は、刃受ブロック５を保持するとともに、各刃受50〜52間の絶縁距離を確保するために設けられている。内ボディ３は、絶縁性を有する合成樹脂材料により、上面に複数の凹所30を有する直方体状に形成されている。そして、内ボディ３上面の各凹所30内に、それぞれ刃受ばね510，…が各別に収納される。また、内ボディ３の左右両側の側壁には、第１〜第４導電体53〜56が嵌め込まれる複数の溝31が形成されている。
【００３３】
ここで、ボディ１の底板10の上面から３つのリブ101が等間隔に突設されている。一方、内ボディ３の下面にはリブ101と嵌合する嵌合凹所(図示せず)が設けられており、嵌合凹所にリブ101を嵌合させることで内ボディ３が位置決めされた状態でボディ１の内底面(底板10の上面)に載置される。
【００３４】
内カバー４は、絶縁性を有する合成樹脂材料により、上下両側に開口した矩形の筒状に形成されている。また、内カバー４は、複数の壁40が内部に設けられている。そして、内カバー４は、刃受ブロック５を間に挟むようにして、上から内ボディ３に被せられる。このとき、複数の壁40で仕切られた各空間に、内ボディ３の凹所30に収納された刃受ばね510，…が各別に配置される。なお、内カバー４の左右両側の壁には、第１〜第４導電体53〜56を逃げるための複数の溝41が形成されている。
【００３５】
スイッチ６は、直方体形状のハウジング61と、ハウジング61の上面に露出した操作部60と、ハウジング61の下面より突出する３つの端子62(62A，62B，62C)とを有する。このスイッチ６は、従来周知である照光式のタンブラスイッチ(照光スイッチ)であって、操作部60の操作に応じて接点63が開閉し、且つ接点63が閉じているときに発光素子(ネオンランプ)64が発光するように構成されている。なお、このスイッチ６は、発光素子64の発する光を、透光性を有する合成樹脂材料で形成された操作部60を通して外部に放射することにより、オン状態であることを報知するとともに、暗所において操作部60の位置を知らしめている。
【００３６】
ここで、本実施形態のテーブルタップの回路構成について、図４を参照して簡単に説明する。第１導電体53が電源コード８及び電源プラグ９の一方の電圧極Ｎと接続されている。また、第２導電体54が電源コード８及び電源プラグ９の他方の電圧極Ｌと接続されている。さらに、第４導電体56が電源コード８及び電源プラグ９の接地極Ｅと接続されている。
【００３７】
スイッチ６は、接点63の一端に接続されている端子62(62A)が第２導電体54と接続され、接点63の他端に接続されている端子62(62B)が第３導電体55に接続されている。また、スイッチ６は、発光素子64を介して接点63の他端に接続されている端子(端子62C)が第１導電体53と接続されている。
【００３８】
すなわち、スイッチ６がオフしている(接点63が開いている)ときは、第３導電体55が第２導電体54と切り離され、第１刃受50Bと第２刃受51Bが電圧極Ｌと導通しないことで第１の差込口25及び第２の差込口26に差込接続された差込プラグに給電されない。このとき、発光素子64も電圧極Ｌと導通しないために発光しない。
【００３９】
一方、スイッチ６がオンしている(接点63が閉じている)ときは、第３導電体55が第２導電体54と接続され、第１刃受50Bと第２刃受51Bが電圧極Ｌと導通することで第１の差込口25及び第２の差込口26に差込接続された差込プラグに給電される。このとき、発光素子64も電圧極Ｌと導通するために発光する。
【００４０】
ここで、例えば、器体Ａが床に置かれている場合、器体Ａの上に足(靴)が載せられたとしても、カバー２の天板20にガードされて足裏(靴底)から操作部60に押圧力が加わることが防止される。すなわち、本実施形態におけるスイッチ６の操作部60は、凹部27の底面から器体Ａの外に露出しているので、従来例のようにカバー２の天板20の表面から露出している場合と比較して、不用意に操作される可能性が大幅に低下する。
【００４１】
上述のように本実施形態のテーブルタップは、複数の差込口25，26が設けられた器体Ａと、器体Ａ内に収納されて差込口25，26に差し込まれる差込プラグの刃を受ける複数の刃受50，51とを備える。また、本実施形態のテーブルタップは、器体Ａから導出されて外部の電源に接続される電源コードと、器体Ａ内において電源コードと刃受50，51とを電気的に接続する導電体53〜55と、電源コードと刃受50，51との電気的な接続を入切する１乃至複数のスイッチ６とを備える。さらに、スイッチ６は、操作部60を器体Ａの外に露出した状態で器体Ａ内に収納される。また、器体Ａは、それぞれに差込口25，26が設けられた２つの斜面200，201を有する山形に形成され、且つ２つの斜面200，201に対して内側に凹んだ凹所27を有し、凹所27の底面に操作部60が露出するように構成される。
【００４２】
したがって、本実施形態のテーブルタップによれば、スイッチ６の操作部60が器体Ａの表面から突出している従来例と比べて、例えば、床に置かれていた場合に操作部60を足で踏んでしまう可能性が殆ど無く、その結果、スイッチ６の誤操作を抑制することができる。なお、図１(ｃ)に示すように操作部60の一部(長手方向一端側の角部)が斜面200，201よりも外側に突出している。しかしながら、この部分が足に押されたとしても、接点63が反転(オンからオフあるいはオフからオン)するまで操作部60が揺動することはなく、実質的に誤操作の可能性は極めて低いと考えられる。
【符号の説明】
【００４３】
Ａ  器体
１  ボディ
２  カバー
５  刃受ブロック
６  スイッチ
25  第１の差込口
26  第２の差込口
27  凹所
50A，50B  第１刃受
51A，51B  第２刃受
53  第１導電体
54  第２導電体
55  第３導電体
60  操作部
【図１】
2015005367.tif 000003
【図２】
2015005367.tif 000004
【図３】
2015005367.tif 000005
【図４】
2015005367.tif 000006